(57)【要約】      （修正有）【課題】冷却効果を長く維持でき、温度調整が簡単にできる保冷材を提供する。【解決手段】冷却材１００は、保冷材１と、保冷材を包むように少なくとも一面側に配置した断熱シート２と、断熱シートで包んだ保冷材を入れて封止するパッケージ３とから構成される。冷却材は、予め保冷材を冷凍させてから取り出し、断熱面１ａを手に持って冷却面１ｃを肌に当て、所望の冷却を行う。断熱シートが冷却面１ｃの端縁近傍にも設けられているので、指の熱が保冷材に伝わるのが防止され、断熱面１ａをカバンや入れ物の面に接するように置くことで保冷材に熱が伝わるのも防止できるので、冷却効果を長く維持できる。また、断熱シートが設けられている断熱面と設けられていない冷却面とをひっくり返すだけで簡単に温度調整ができる。【選択図】図１
0003217930.tif 000002
【実用新案登録請求の範囲】
【請求項１】
冷凍状態と解凍状態とを繰り返す一定の厚みを有する略矩形の保冷材と、
前記保冷材の少なくとも一面側に設けた断熱シートと、
前記保冷材を前記断熱シートと共に中に入れて封止したパッケージと、
を備えたことを特徴とする冷却材。
【請求項２】
更に、前記保冷材の他面側であって一辺方向の端縁近傍に前記断熱シートを設けたことを特徴とする請求項１に記載の冷却材。
【請求項３】
更に、前記保冷材の他面側に、前記断熱シートより断熱効果が低い第二断熱シートを設けたことを特徴とする請求項１又は２に記載の冷却材。
【請求項４】
前記断熱シートは、エアパッキンの表層にアルミニウムを蒸着した構成であることを特徴とする請求項１〜３のいずれか一つに記載の冷却材。
【考案の詳細な説明】
【技術分野】
【０００１】
本考案は、冷凍庫で凍らせてから外に持ち出して所望の冷却を行う冷却材に関するものである。
【背景技術】
【０００２】
従来から、冷凍庫内で内部を凍らせてから外に持ち出して、体を冷やしたり、生鮮食品の搬送に用いる冷却材が知られている。この冷却材は、一般的に、高吸水性樹脂（ポリアクリル酸ナトリウム），防腐剤及び形状安定剤を所定の袋にパックして構成される。
【０００３】
また、従来の保冷材として、特許文献１に記載されているようなものが知られている。この保冷材は、木材チップ等の発泡体からなる含水構造物に対して所定の含水率を確保し、これを袋に封入した構造である。
【先行技術文献】
【特許文献】
【０００４】
【特許文献１】特開２０１５−４３９０１号公報
【考案の概要】
【考案が解決しようとする課題】
【０００５】
しかしながら、上記従来の保冷材では、冷却効果が長続きしないという問題があった。また、保冷材が冷たすぎることがあり、その場合の温度調整を行うため、保冷材をタオルで包んだり断続的に肌に当てる等の作業が必要であり、扱いが面倒であった。本考案は、係る問題点を解決するためになされたものである。
【課題を解決するための手段】
【０００６】
本考案に係る冷却材は、冷凍状態と解凍状態とを繰り返す一定の厚みを有する略矩形の保冷材と、前記保冷材の少なくとも一面側に設けた断熱シートと、前記保冷材を前記断熱シートと共に中に入れて封止したパッケージとを備えたことを特徴とする。
【０００７】
更に、前記保冷材の他面側であって一辺方向の端縁近傍に前記断熱シートを設けるようにするのが好ましい。更に、前記保冷材の他面側に、前記断熱シートより断熱効果が低い第二断熱シートを設けても良い。また、前記断熱シートは、エアパッキンの表層にアルミニウムを蒸着した構成とするのが好ましい。
【図面の簡単な説明】
【０００８】
【図１】本考案の実施の形態１に係る冷却材を示す説明図である。
【図２】本考案の実施の形態１に係る冷却材の組立図である。
【図３】図１に示した冷却材の一部拡大断面図である。
【図４】図１に示した冷却材の変形例を示す組立図である。
【図５】図１に示した冷却材の変形例を示す平面図である。
【図６】図１に示した冷却材の変形例を示す平面図である。
【図７】図１に示した冷却材の変形例を示す平面図である。
【図８】図１に示した冷却材の変形例を示す平面図である。
【図９】図１に示した冷却材の変形例を示す平面図である。
【図１０】本考案の実施の形態２に係る冷却材を示す説明図である。
【図１１】本考案の実施の形態２に係る冷却材の組立図である。
【考案を実施するための形態】
【０００９】
（実施の形態１）
図１は、本考案の実施の形態１に係る冷却材を示す説明図であり、（ａ）が平面図、（ｂ）が側面図、（ｃ）が背面図、（ｄ）上面図である。図２は、本考案に係る冷却材の組立図である。図３は、図１に示した冷却材の一部拡大断面図である。この冷却材１００は、水、高吸水性樹脂（ポリアクリル酸ナトリウム），防腐剤及び形状安定剤をパックして構成された保冷材１（アイスパック）と、当該保冷材１の一面側を包むように配置した断熱シート２と、断熱シート２で包んだ保冷材１を入れて封止するパッケージ３とから構成される。
【００１０】
前記保冷材１は、冷凍庫内で内部を凍らせてから解凍させながら使用する一般的なものである。前記断熱シート２は、エアパッキンの表層にアルミニウムを表裏に蒸着した構成の、所謂アルミプチプチからなる。断熱シート２は矩形であり一辺方向４の寸法は、保冷材１の一面側１ａをカバーし且つその一辺方向４の両端１ｂの折返線２ｃで折り返して他面側１ｃの端縁近傍をカバーできるものとする（図３（ｃ）参照）。他辺方向５の寸法は、保冷材１の他辺方向５の寸法と略同じものとする。断熱シート２により保冷材１の一辺方向４の端縁近傍をカバーすることで、当該断熱シート２により空気層２ｂが形成され且つアルミニウムにより外部の熱が反射され、保冷材１の温度上昇を効果的に抑制できる。
【００１１】
具体的には、断熱シート２は、端縁近傍から一辺方向４で保冷材１の寸法の１／１０以上１／４以下の長さとするのが好ましい。前記パッケージ３は、袋状になったポリエチレン製であり開口部３ａは前記保冷材１と断熱シート２を入れた後で圧着封止する。圧着する際は、内部のエアを抜いてパッケージ３の素材が断熱シート２及び保冷材１に密着するようにする。
【００１２】
また、図３（ａ）に示すように、前記断熱シート２を設けた一面側１ａを断熱面とする。また、図３（ｂ）に示すように、断熱シート２が設けられていない面（他面側１ｃ）が冷却面１ｃとなり、当該冷却面１ｃには文字「冷却面」やアイコン等の表示６を行う。
【００１３】
次に、この冷却材１００の使用方法を説明する。冷却材１００は、予め冷凍庫の中で内部の冷却材１００の保冷材１を冷凍しておく。保冷材１が凍ったら当該冷却材１００を冷凍庫から取り出し、所望の冷却用途に用いる。例えば、断熱面１ａを手に持って冷却面１ｃを肌に当て、所望の冷却を行う。このとき、前記断熱シート２が保冷材１の他面側１ｃの端縁近傍にも設けられているので、手で持ったときに指が冷却面１ｃに当たることがない。このため、指が過渡に冷たくならないうえ、指の熱が保冷材１に伝わるのを防止できる。
【００１４】
また、冷凍庫から取り出して搬送する際、断熱面１ａをカバンや入れ物の面に接するように置くことで、保冷材１に熱が伝わるのを防止できる。更に、断熱シート２が保冷材１の他面の端縁近傍にも設けられているので、搬送時に温度上昇するのを防止でき、保冷材１の効果を長持ちさせることができる。
【００１５】
次に、断熱シート２を設けた側は断熱面１ａとなるため、冷却面１ｃに比べて温度が高い。このため、冷却面１ｃでは冷たすぎるという場合、この断熱面１ａを肌に当ててマイルドに冷却することもできる。
【００１６】
以上、本考案に係る冷却材１００によれば、断熱シート２を一面側１ａ及び他面側１ｃの両端近傍に設けることで保冷効果を長くすることができる。また、断熱シート２が設けられている断熱面１ａと設けられていない冷却面１ｃとをひっくり返すだけで簡単に使い分けることができる。
【００１７】
また、上記構成において、図４の組立図、図５の平面図に示すように、冷却面に前記断熱シート２より断熱効果が低い、アルミニウムの冷却面シート１０を設けても良い。このようにすれば、アルミニウム膜により保冷効果が高まると共に、冷却面１ｃの温度を高くできるので、冷却材１００を肌に直接当てた場合でも冷たすぎる感じがない。また、この冷却面シート１０は、図６に示すように、冷却面１ｃの半分のみに設けても良い。この場合、冷却面１ｃで冷却の程度を調整できるようになる。即ち、図中上半分の冷却面１ｃで強く冷却を行い、下半分の冷却面１ｃで弱く冷却を行う。
【００１８】
更に、図７に示すように、当該冷却面シート２０には、多数の穴２１を設けても良い。穴２１を設けることで、より細かく冷却の程度を調整できる。更に、図８に示すように、当該冷却面シート２０の半分の領域に前記多数の穴２１を設けても良い。この場合、冷却面の中で冷却の程度を調整できるようになる。
【００１９】
また、上記断熱シート２には、エアパッキンの表層にアルミニウムを蒸着した構成の、いわゆるアルミプチプチを用いたが、図９に示すように、アルミニウムの外側シートに対してグラスウール層３１を貼着した構造の断熱シート３０、アルミニウムの外側シートに対してポリウレタンフォームや発泡スチロールなどの発泡素材３１を貼着した断熱シート３１を用いても良い。
【００２０】
また、上記冷却材１００は、手に持って直接肌に当てる用途の他、体に装着するベスト等の衣類や装着具に対して差し入れて体を冷やすようにしても良いし、保冷バッグの中に入れて冷却面を内側に設置し、生鮮食品等の搬送に用いても良い（図示省略）。
【００２１】
（実施の形態２）
図１０は、本考案の実施の形態２に係る冷却材を示す説明図であり、（ａ）が平面図、（ｂ）が側面図、（ｃ）が背面図、（ｄ）上面図である。図１１は、本考案に係る冷却材の組立図である。この冷却材２００は、上記実施の形態１に係る冷却材１００の冷却面１ｃの一辺方向４の端縁近傍にも断熱シート２を折り返して（折返し線２０２ｃ）断熱シート２０２を設けた点に特徴がある。その他の構成は実施の形態１の冷却材１００と同じであるから、同一構成要素には同一符号を付してその説明を省略する。断熱シート２０２は、端縁近傍から一辺方向４で保冷材１の寸法の１／４までの長さとするのが好ましい。このようにすれば、更に冷却材２００の保冷効果が長くなるうえ、冷却材２００を手に持ったときに一辺方向４及び他辺方向５のいずれでも指が冷却面１ｃに直接当たり難くなることから、熱が逃げるのを防止でき、保冷効果を長くすることができる。
【符号の説明】
【００２２】
１００  冷却材
１  保冷材
１ａ  断熱面
１ｃ  冷却面
２  断熱シート
３  パッケージ
【図１】
0003217930.tif 000003
【図２】
0003217930.tif 000004
【図３】
0003217930.tif 000005
【図４】
0003217930.tif 000006
【図５】
0003217930.tif 000007
【図６】
0003217930.tif 000008
【図７】
0003217930.tif 000009
【図８】
0003217930.tif 000010
【図９】
0003217930.tif 000011
【図１０】
0003217930.tif 000012
【図１１】
0003217930.tif 000013